(57)【要約】 部品点数の削減とシェーディング等の特性向上を同時に図ることができる絞り装置を提供する。本発明の絞り装置１は、互いに重なり合った状態で絞り開口を形成する一対の絞り羽根３，４と、赤外線カットフィルタ層が一方の主面全域に形成されたフィルタ基板５と、絞り開口の大きさを調整するために一対の絞り羽根３，４を相対的に移動させる絞り駆動部７と、絞り開口を通して入射する光の光路に対してフィルタ基板を進退移動させるフィルタ駆動部８とを備える。フィルタ基板５は、その中央部にＮＤフィルタ層４２を有し、このＮＤフィルタ層４２が絞り開口と同心状に配置される構成となっている。
2012018047.tif 000002
【特許請求の範囲】
【請求項１】
互いに重なり合った状態で絞り開口を形成する一対の絞り羽根と、
可視光通過領域を有するフィルタ基板と、
前記絞り開口の大きさを調整するために前記一対の絞り羽根を相対的に移動させる絞り駆動部と、
前記絞り開口を通して入射する光の光路に対して前記フィルタ基板を進退移動させるフィルタ駆動部と、
を備え、
前記フィルタ基板は、前記絞り開口を通過する光のうち、少なくとも前記可視光通過領域を通過し得る光を減衰させる光減衰領域をさらに有し、
前記光減衰領域は、前記可視光通過領域よりも小さい領域をもって当該可視光通過領域内に形成され、前記光路上に前記フィルタ基板を進出させたときに前記絞り開口と同心状に配置されるものである
ことを特徴とする絞り装置。
【請求項２】
前記光減衰領域は、円形に形成されている
ことを特徴とする請求項１に記載の絞り装置。
【請求項３】
前記光減衰領域は、前記絞り開口の開口形状と相似形に形成されている
ことを特徴とする請求項１に記載の絞り装置。
【請求項４】
前記可視光通過領域は、前記フィルタ基板の少なくとも一方の主面に形成された赤外線カットフィルタ層からなり、
前記光減衰領域は、前記フィルタ基板の一方の主面または他方の主面あるいは両方の主面に形成されたＮＤフィルタ層からなる
ことを特徴とする請求項１、２または３に記載の絞り装置。
【請求項５】
前記赤外線カットフィルタ層および前記ＮＤフィルタ層は、前記フィルタ基板の共通の主面上に積層状態で形成されている
ことを特徴とする請求項４に記載の絞り装置。
【請求項６】
請求項１〜５のいずれか一つに記載の絞り装置と、
前記絞り開口を通して入射する光を電気信号に変換する光電変換素子と、
を備えることを特徴とするカメラ。
【請求項７】
請求項６に記載のカメラと、
前記カメラから出力される画像信号を処理する画像処理部と、
を備えることを特徴とする電子機器。
【発明の詳細な説明】
【技術分野】
【０００１】
本発明は、一対の絞り羽根を有する絞り装置と、これを備えるカメラおよび電子機器に関する。
【背景技術】
【０００２】
一般に、昼夜兼用の監視カメラには、カラー撮影が可能な撮像素子が組み込まれている。この種の監視カメラでは、被写体が明るい場合と、被写体が暗い場合で、撮影モードを切り替えている。具体的には、被写体が明るい昼間等の撮影時にはカラー撮影モードを適用し、被写体が暗い夜間等の撮影時にはモノクロ撮影モードを適用するように、撮影モードを切り替えている。【０００３】
また、カラー撮影モードでは、撮像素子の前段（光が入射する側）に赤外線カットフィルタを配置している。このため、カラー撮影モードで撮影する場合は、外部から入射した光が赤外線カットフィルタを介して撮像素子に到達する。これに対して、モノクロ撮影モードでは撮像素子の前段から赤外線カットフィルタを退避させている。このため、モノクロ撮像モードで撮影する場合は、外部から入射した光が赤外線カットフィルタを介することなく撮像素子に到達する。【０００４】
上記の監視カメラを含む各種のカメラには、当該カメラに対して外部から入射する光の量（以下、「入射光量」と記す）を調整するための絞り装置が組み込まれている。絞り装置は、入射光の光路上に存在する絞り開口の大きさを変えることによって入射光量を調整（適正化）するものである。【０００５】
図８は従来の絞り装置の一例を示す分解斜視図である。絞り装置２００は、大きくは、絞り基板２０１と、一対の絞り羽根２０２，２０３と、フィルタ基板２０４と、羽根カバー２０５と、絞り駆動部２０６と、フィルタ駆動部２０７と、一対のＮＤ(Neutral  Density)フィルタ２０８，２０９と、を備えた構成となっている。【０００６】
絞り基板２０１は、一対の絞り羽根２０２，２０３を移動自在（スライド自在）に支持するものである。また、絞り基板２０１は、絞り駆動部２０６とフィルタ駆動部２０７とを支持するものである。【０００７】
一対の絞り羽根２０２，２０３は、互いに重なり合った状態で絞り開口を形成するものである。この絞り開口は、一方の絞り羽根２０２に形成された孔部２１０と、他方の絞り羽根２０３に設けられた湾部２１１によって形成されるものである。【０００８】
フィルタ基板２０４は、外部から入射する光のうち、赤外線領域（近赤外線領域を含む）の光をカットするフィルタ機能を有している。具体的には、フィルタ基板２０４は、図９および図１０に示すように、ガラス基板２１２の片面に赤外線カットフィルタ層２１３を形成した構成となっている。また、フィルタ基板２０４は、フレーム部材２１４に取り付けられている。そして、フィルタ基板２０４とフレーム部材２１４との組み合わせによってフィルタユニット２１５が構成されている。【０００９】
羽根カバー２０５は、絞り基板２０１に取り付けられた一対の絞り羽根２０２，２０３を外部から遮蔽して保護するものである。【００１０】
絞り駆動部２０６は、一対の絞り羽根２０２，２０３を相対的に移動（以下、単に「相対移動」とも記す）させるものである。一対の絞り羽根２０２，２０３の相対移動は、これらが互いに接近離間する方向での移動となる。【００１１】
フィルタ駆動部２０７は、フィルタ基板２０４およびフレーム部材２１４からなるフィルタユニット２１５を移動させるものである。フィルタ駆動部２０７によるフィルタユニット２１５の移動は、入射光の光路上にフィルタ基板２０４を進出させる場合と、入射光の光路上からフィルタ基板２０４を退避させる場合に行われる。【００１２】
ＮＤフィルタ２０８，２０９は、それぞれ光を減衰させるものである。ＮＤフィルタ２０８は、図１１に示すように、一方の絞り羽根２０２の孔部２１０の縁に接着剤を用いて取り付けられ、ＮＤフィルタ２０９は、他方の絞り羽根２０３の湾部２１１の縁に接着剤を用いて取り付けられる。【００１３】
上記構成からなる絞り装置２００においては、絞り基板２０１に一対の絞り羽根２０２，２０３を重ねて取り付けたときに、図１２に示すように、孔部２１０と湾部２１１の重なり合う部分に絞り開口２１６が形成される。そして、絞り基板２０１上で絞り駆動部２０６を駆動すると、一対の絞り羽根２０２，２０３が互いに接近離間する方向に移動する。そうすると、一対の絞り羽根２０２，２０３の移動方向および移動量に応じて絞り開口２１６の大きさが変化する。【００１４】
具体的には、一対の絞り羽根２０２，２０３が互いに接近する方向（図１２の実線の矢印方向）に移動すると、これにしたがって絞り開口２１６が大きくなり、これと反対に、一対の絞り羽根２０２，２０３が互いに離間する方向（図１２の破線の矢印方向）に移動すると、これにしたがって絞り開口２１６が小さくなる。また、一対の絞り羽根２０２，２０３を最も接近させた状態では絞り開口２１６が最大（全開状態）となり、一対の絞り羽根２０２，２０３を最も離間させた状態では絞り開口２１６が最小（完全に閉じた状態またはそれに近い状態）となる。図１３は絞り開口を開放（全開）した状態を示し、図１４は絞り開口を小絞りとした状態を示している。【００１５】
また、絞り基板２０１に対しては、前述した絞り開口２１６に対してフィルタ基板２０４が進退可能（抜き差し可能）となるように、一対の絞り羽根２０２，２０３の間（隙間部分）にフィルタユニット２１５（フィルタ基板２０４、フレーム部材２１４）が配置される。そして、絞り基板２０１上でフィルタ駆動部２０７を駆動すると、フレーム部材２１４と一体になってフィルタ基板２０４が移動する。この場合、フィルタ基板２０４を一方側に移動させると、絞り開口２１６を通して入射する光の光路上にフィルタ基板２０４が進出した状態となる。また、フィルタ基板２０４を他方側に移動させると、上記の光路上からフィルタ基板２０４が退避した状態となる。【００１６】
このように動作する絞り装置２００において、フィルタ基板２０４とＮＤフィルタ２０８，２０９は、それぞれ異なる使用目的で組み込まれている。すなわち、フィルタ基板２０４は、昼間等に適用されるカラー撮影モードで撮影する場合に、赤外光の入射に起因した画像の色ズレ（画像が赤みを帯びる現象）を防止するために組み込まれている。これに対して、ＮＤフィルタ２０８，２０９は、昼間等の撮影時に撮像素子の画素の信号が飽和しないように絞り開口２１６を小さく絞った状況下でも、入射光量を細かく制御可能とするために組み込まれている。【００１７】
この種の絞り装置としては、たとえば、特許文献１に記載されたものが知られている。また、一対の絞り羽根を利用したものではないが、監視カメラ用途のレンズとして、赤外線カットフィルタとＮＤフィルタとを一体的に形成したものが知られている（特許文献２を参照）。
【先行技術文献】
【特許文献】
【００１８】
【特許文献１】特開２００７−１７５９４号公報
【特許文献２】特開平５−１１０９３８号公報
【発明の概要】
【発明が解決しようとする課題】
【００１９】
上記従来の絞り装置２００においては、フィルタ基板２０４とＮＤフィルタ２０８，２０９とを、それぞれの使用目的にあわせて別々に取り付けた構成となっている。
すなわち、フィルタ基板２０４に関しては、昼間等の撮影時には入射光の光路上に進出させ、夜間等の撮影時には入射光の光路から退避させる必要がある。このため、フレーム部材２１４にフィルタ基板２０４を取り付けることにより、そのフレーム部材２１４と一体にフィルタ基板２０４を移動させる構成を採用している。
一方、ＮＤフィルタ２０８，２０９に関しては、絞り開口２１６を小さく絞ったときに、ＮＤフィルタ２０８，２０９を有効に機能させる必要がある。このため、一対の絞り羽根２０２，２０３にそれぞれＮＤフィルタ２０８，２０９を取り付けることにより、各々の絞り羽根２０２，２０３と一体にＮＤフィルタ２０８，２０９を移動させる構成を採用している。【００２０】
しかしながら、従来の絞り装置２００では、次のような不具合があった。
すなわち、一対の絞り羽根２０２，２０３の相対移動によって絞り開口２１６を全開状態から徐々に小さくすると、その途中で上記図１２に示すように一対のＮＤフィルタ２０８，２０９が重なり始める。そうした場合、絞り開口２１６を通過する光は、ＮＤフィルタ２０８またはＮＤフィルタ２０９が単独で存在する部分を通過する光と、２つのＮＤフィルタ２０８，２０９が重なり合う部分を通過する光と、ＮＤフィルタ２０８，２０９以外の部分を通過する光とに分かれる。したがって、絞り開口２１６を通過する光の量に部分的な差が生じる。【００２１】
その結果、図示しない撮像素子で撮像される画像の中（一つの画面中）に、被写体の明るさに依存しない、３種類の明るさの分布が生じる。したがって、シェーディング等の特性が悪化してしまう。また、絞り開口２１６の調整を安定的に行えなくなるため、ハンチング現象を招くおそれがある。特に、絞り開口２１６を小さく絞った状態では、ハンチング現象が起こりやすくなる。【００２２】
ちなみに、一対の絞り羽根を備えた従来の絞り装置の中には、一方の絞り羽根だけにＮＤフィルタを取り付けたタイプもある。ただし、そのようなタイプの絞り装置では、絞り開口の中心に対してＮＤフィルタの位置が一方に偏ることになる。このため、必然的にシェーディング等の不具合を起こしてしまう。【００２３】
本発明の主たる目的は、一対の絞り羽根を用いて絞り開口を可変するとともに、その絞り開口に対してフィルタ基板を進退移動させる絞り装置において、部品点数の削減とシェーディング等の特性向上を同時に図ることができる技術を提供することにある。
【課題を解決するための手段】
【００２４】
本発明の第１の態様は、
互いに重なり合った状態で絞り開口を形成する一対の絞り羽根と、
可視光通過領域を有するフィルタ基板と、
前記絞り開口の大きさを調整するために前記一対の絞り羽根を相対的に移動させる絞り駆動部と、
前記絞り開口を通して入射する光の光路に対して前記フィルタ基板を進退移動させるフィルタ駆動部と、
を備え、
前記フィルタ基板は、前記絞り開口を通過する光のうち、少なくとも前記可視光通過領域を通過し得る光を減衰させる光減衰領域をさらに有し、
前記光減衰領域は、前記可視光通過領域よりも小さい領域をもって当該可視光通過領域内に形成され、前記光路上に前記フィルタ基板を進出させたときに前記絞り開口と同心状に配置されるものである
ことを特徴とする絞り装置である。【００２５】
本発明の第２の態様は、
前記光減衰領域は、円形に形成されている
ことを特徴とする上記第１の態様に記載の絞り装置である。【００２６】
本発明の第３の態様は、
前記光減衰領域は、前記絞り開口の開口形状と相似形に形成されている
ことを特徴とする上記第１の態様に記載の絞り装置である。【００２７】
本発明の第４の態様は、
前記可視光通過領域は、前記フィルタ基板の少なくとも一方の主面に形成された赤外線カットフィルタ層からなり、
前記光減衰領域は、前記フィルタ基板の一方の主面または他方の主面あるいは両方の主面に形成されたＮＤフィルタ層からなる
ことを特徴とする上記第１、第２または第３の態様に記載の絞り装置である。【００２８】
本発明の第５の態様は、
前記赤外線カットフィルタ層および前記ＮＤフィルタ層は、前記フィルタ基板の共通の主面上に積層状態で形成されている
ことを特徴とする上記第４の態様に記載の絞り装置である。【００２９】
本発明の第６の態様は、
上記第１〜第５の態様のいずれか一つに記載の絞り装置と、
前記絞り開口を通して入射する光を電気信号に変換する光電変換素子と、
を備えることを特徴とするカメラである。【００３０】
本発明の第７の態様は、
上記第６の態様に記載のカメラと、
前記カメラから出力される画像信号を処理する画像処理部と、
を備えることを特徴とする電子機器である。
【発明の効果】
【００３１】
本発明によれば、一対の絞り羽根を用いて絞り開口を可変するとともに、その絞り開口に対してフィルタ基板を進退移動させる絞り装置において、部品点数の削減とシェーディング等の特性向上を同時に図ることができる。
【図面の簡単な説明】
【００３２】
【図１】本発明が適用されるカメラの構成例を示すもので、（Ａ）はカメラ全体の外観図、（Ｂ）は鏡筒内部の概略図である。
【図２】本発明の実施の形態に係る絞り装置の全体的な構成例を示す分解斜視図である。
【図３】実施の形態に係るフィルタユニットを拡大した平面図である。
【図４】図３に示すフィルタ基板の断面図である。
【図５】一対の絞り羽根を重ね合わせた状態を示す図である。
【図６】絞り開口を開放（全開）した状態を示す図である。
【図７】絞り開口４３を小絞りとした状態を示す図である。
【図８】従来の絞り装置の一例を示す分解斜視図である。
【図９】従来のフィルタユニットを拡大した平面図である。
【図１０】図９に示すフィルタ基板の断面図である。
【図１１】従来の絞り装置で絞り羽根にＮＤフィルタを取り付けた状態を示す分解斜視図である。
【図１２】一対の羽根基板を重ね合わせた状態を示す図である。
【図１３】絞り開口を開放（全開）した状態を示す図である。
【図１４】絞り開口を小絞りとした状態を示す図である。
【発明を実施するための形態】
【００３３】
以下、本発明の実施の形態について図面を参照しつつ詳細に説明する。
本発明の実施の形態においては、次の順序で説明を行う。
１．カメラの構成
２．絞り装置の構成
２−１．絞り装置の全体的な構成
２−２．絞り装置の部分的な構成
３．絞り装置の動作
３−１．絞り開口の調整に係る動作
３−２．撮影モードの切り替えに係る動作
４．実施の形態に係る効果
５．変形例
【００３４】
＜１．カメラの構成＞
図１は本発明が適用されるカメラの構成例を示すもので、（Ａ）はカメラ全体の外観図、（Ｂ）は鏡筒内部の概略図である。図示したカメラ１００は、たとえば、防犯目的に建物の天井部分（又は壁など）に設置される監視カメラである。このカメラ１００は、取り付け台座１０１と、カメラ本体１０２とを備えている。取り付け台座１０１は、たとえば、ねじ止めによって建物の天井部分に固定する構造になっている。
【００３５】
カメラ本体１０２は、鏡筒部１０３と、対物レンズ１０４とを備えている。鏡筒部１０３の内部には、対物レンズ１０４を含む光学系が組み込まれている。対物レンズ１０４は、鏡筒部１０３の先端に取り付けられている。また、カメラ本体１０２には、光学系の一機能部として、絞り装置１と撮像素子１０５とが組み込まれている。絞り装置１については、後段で詳しく説明する。
【００３６】
撮像素子１０５は、カラー撮影が可能な撮像素子であって、たとえば、ＣＣＤ(Charge Coupled Device)撮像素子、ＣＭＯＳ(Complementary Metal Oxide Semiconductor)撮像素子などで構成される。撮像素子１０５は、たとえば、複数（多数）の画素を行列状に配置してなる撮像面を有する。撮像素子１０５は、絞り装置１の絞り開口を通して上記撮像面に入射する光を電気信号に変換する光電変換素子の一例として組み込まれている。
【００３７】
なお、本発明は、ここで例示したカメラ１００に限らず、絞り装置１を備える他の構成のカメラにも適用可能である。また、光学系の構成としても、レンズの種類・枚数・配置や、絞り装置１の配置等、種々の変更が可能である。
【００３８】
＜２．絞り装置の構成＞
[２−１．絞り装置の全体的な構成]
図２は本発明の実施の形態に係る絞り装置の全体的な構成例を示す分解斜視図である。図示した絞り装置１は、大きくは、絞り基板２と、一対（２つ）の絞り羽根３，４と、フィルタ基板５と、羽根カバー６と、絞り駆動部７と、フィルタ駆動部８と、を備えた構成となっている。
【００３９】
絞り基板２は、絞り装置１を構成する各々の構成部材を実装するためのベースとなるものである。一対の絞り羽根３，４は、互いに重なり合った状態で絞り開口を形成するものである。絞り開口は、カメラに入射する光の光路上に配置され、そこを通過する光の量を制限する。すなわち、絞り開口の大きさが大きくなると、そこを通過する光の量が相対的に増大し、絞り開口の大きさが小さくなると、そこを通過する光の量が相対的に減少する。フィルタ基板５は、入射光に対して光学的なフィルタ機能を有するものである。羽根カバー６は、一対の絞り羽根３，４を外部から遮蔽して保護するものである。
【００４０】
絞り駆動部７は、絞り開口の大きさを調整するために一対の絞り羽根３，４を相対的に移動させるものである。フィルタ駆動部８は、フィルタ基板５を使用状態と非使用状態に切り替えるために、フィルタ基板５を移動させるものである。フィルタ基板５の使用状態とは、入射光の光路上にフィルタ基板５を進出させた状態をいう。フィルタ基板５の非使用状態とは、入射光の光路上からフィルタ基板５を退避（後退）させた状態をいう。
【００４１】
[２−２．絞り装置の部分的な構成]
（絞り基板）
絞り基板２は、たとえば、樹脂を用いて構成されるもので、全体的に平面視略長方形に形成されている。絞り基板２には、開口部１０と、複数の突起部１１ａ，１１ｂ，１１ｃ，１１ｄが形成されている。開口部１０は、真円またはそれに近い円形状に形成されている。複数の突起部１１ａ，１１ｂ，１１ｃ，１１ｄは、一対の絞り羽根３、４の移動を案内するためのものである。各々の突起部１１ａ，１１ｂ，１１ｃ，１１ｄの端部は、それぞれ絞り基板２の外側に向けてＬ字形に曲げられている。
【００４２】
（絞り羽根）
一対の絞り羽根３，４は、たとえば、ポリエチレンテレフタレート（ＰＥＴ）からなる板状素材の表面をカーボンの膜で被覆したものを用いて構成されている。各々の絞り羽根３，４は、全体的に薄板状に形成されている。一方の絞り羽根３には、１つの孔部１５と、３つの案内溝１６ａ，１６ｂ，１６ｃと、１つの係合孔１７とが設けられている。
【００４３】
孔部１５は、真円またはそれに近い円形状の一部を略Ｖ字形に拡大させた形態の平面形状を有している。３つの案内溝１６ａ，１６ｂ，１６ｃは、絞り羽根３の長手方向に沿って互いに平行に形成されている。３つの案内溝１６ａ，１６ｂ，１６ｃのうち、２つの案内溝１６ｂ，１６ｃは同一直線上に形成されている。そして、これら２つの案内溝１６ｂ，１６ｃに対して、孔部１５を挟んだ反対側に、残り１つの案内溝１６ａが形成されている。係合孔１７は、上記２つの案内溝１６ｂ，１６ｃの延長線上に形成されている。また、係合孔１７は、絞り羽根３の短手方向に沿って平面視長孔状に形成されている。
【００４４】
これに対して、他方の絞り羽根４には、１つの湾部１８と、３つの案内溝１９ａ，１９ｂ，１９ｃと、１つの係合孔２０とが設けられている。湾部１８は、半円形（または楕円形）の一部を略Ｖ字形に拡大させた平面形状を有している。３つの案内溝１９ａ，１９ｂ，１９ｃは、絞り羽根４の長手方向に沿って互いに平行に形成されている。３つの案内溝１９ａ，１９ｂ，１９ｃのうち、２つの案内溝１９ａ，１９ｂは同一直線上に形成されている。そして、これら２つの案内溝１９ａ，１９ｂに対して、湾部１８を挟んだ反対側に、残り１つの案内溝１９ｃが形成されている。係合孔２０は、上記２つの案内溝１９ａ，１９ｂの延長線上に形成されている。また、係合孔２０は、絞り羽根４の短手方向に沿って平面視長孔状に形成されている。
【００４５】
（フィルタ基板）
フィルタ基板５は、一対の絞り羽根３，４の間（隙間部分）に挿入する状態で配置されるものである。フィルタ基板５は、たとえば、光透過性を有する円形のガラス基板を用いて構成されている。フィルタ基板５の表面および裏面をそれぞれフィルタ基板５の主面と定義すると、フィルタ基板５の少なくとも一方の主面にはフィルタ層が形成されている。このフィルタ層を備えるフィルタ基板５の構成については後段で詳しく説明する。
【００４６】
フィルタ基板５は、フレーム部材２３に取り付けられている。フレーム部材２３は、フィルタ基板５の外形に対応した円形の開口（不図示）を有するものである。フィルタ基板５とフレーム部材２３は、互いに一体的に組み付けられることにより、一つのフィルタユニット２４を構成している。具体的には、フィルタ基板５とフレーム部材２３は、たとえば、接着等の固定手段によって一体的に組み付けられている。
【００４７】
フレーム部材２３は、たとえば、樹脂を用いて構成されている。フレーム部材２３にはアーム部２５が一体に形成されている。アーム部２５は、略Ｌ字形に曲げられており、その曲がり部分に丸孔２６が形成されている。また、アーム部２５の先端側には長孔２７が形成されている。さらに、フレーム部材２３には２つの出っ張り部２８，２９が一体に形成されている。各々の出っ張り部２８，２９は、主に二つの役目をもっている。一つは、前述したアーム部２５による出っ張り部分との相互作用により、一対の絞り羽根３，４の移動を安定化させる役目を果たす。もう一つは、フレーム部材２３に接着剤でフィルタ基板５を固定する場合に、接着代を確保する役目を果たす。
【００４８】
（羽根カバー）
羽根カバー６は、たとえば、アルミニウムなどの金属を用いて板状に形成されている。羽根カバー６は、前述した絞り基板２と同様に平面視略長方形に形成されている。羽根カバー６には、１つの開口部３０と、２つの逃げ溝部３１ａ，３１ｂとが設けられている。開口部３０は、真円またはそれに近い円形状に形成されている。開口部３０は、一対の絞り羽根３，４が形成する絞り開口に重なるように配置される。逃げ溝部３１ａ，３１ｂは、羽根カバー６の短手方向の一方と他方に対をなして形成されている。各々の逃げ溝部３１ａ，３１ｂは、羽根カバー６を厚み方向に貫通する状態で、平面視略弧状に形成されている。さらに、羽根カバー６にはアーム部３２が一体に形成されている。アーム部３２は羽根カバー６の短手方向の一方に突出する状態で形成されている。アーム部３２には長孔３３が形成されている。さらに、羽根カバー６には、一対の孔部３６ａ，３６ｂと一対の切り欠き部３７ａ，３７ｂとが形成されている。
【００４９】
（絞り駆動部）
絞り駆動部７は、駆動源となるモータの駆動力を、図示しない駆動力伝達機構（歯車機構等）を介して一対の絞り羽根３，４に伝達することにより、一対の絞り羽根３，４を相対的に移動させるものである。駆動源としては、たとえば、可動磁石型モータが用いられる。絞り駆動部７は、一対の駆動ピン３４ａ，３４ｂを有している。一対の駆動ピン３４ａ，３４ｂは、同一円周上に約１８０°位置をずらして配置されている。一対の駆動ピン３４ａ，３４ｂは、上記駆動源の駆動によって同一円周上を同一方向に同量ずつ移動するようになっている。そして、絞り駆動部７と一対の絞り羽根３，４とは、一方の駆動ピン３４ｂを絞り羽根３の係合孔１７に、他方の駆動ピン３４ａを絞り羽根４の係合孔２０に、それぞれ係合することにより、相互に連結されている。
【００５０】
（フィルタ駆動部）
フィルタ駆動部８は、駆動源となるモータの駆動力を、図示しない駆動力伝達機構（歯車機構等）を介してフィルタユニット２４に伝達することにより、フィルタ基板５を含むフィルタユニット２４を移動させるものである。駆動源としては、たとえば、ステッピングモータが用いられる。フィルタユニット２４は、アーム部２５の丸孔２６を支持軸３５に挿入することにより、支持軸３５を中心に回転自在に支持されるようになっている。支持軸３５は、たとえば、絞り基板２に一体に形成されるものである。フィルタ駆動部８とフィルタユニット２４とは、たとえば、フィルタ駆動部８に駆動ピンを設けて、この駆動ピンをアーム部２５の長孔２７に係合することにより、相互に連結される。
【００５１】
（組み立て）
次に、前述した各々の構成部分を用いて絞り装置１を組み立てる場合の手順について概略説明する。なお、ここでは一例として、一対の絞り羽根３，４、フィルタユニット２４および羽根カバー６をそれぞれ絞り基板２に取り付ける前に、絞り駆動部７とフィルタ駆動部８が絞り基板２に実装されているものとする。
【００５２】
まず、絞り基板２に絞り羽根３を取り付ける。その際、絞り基板２の突起部１１ａ，１１ｃ，１１ｄを、それぞれ絞り羽根３の案内溝１６ａ，１６ｂ，１６ｃに嵌め入れる。また、絞り駆動部７の一方の駆動ピン３４ｂを絞り羽根３の係合孔１７に嵌め入れる。
【００５３】
次に、絞り基板２にフィルタユニット２４を取り付ける。その場合、アーム部２５の丸孔２６を絞り基板２の支持軸３５に嵌め入れるとともに、アーム部２５の長孔２７にフィルタ駆動部８の図示していない駆動ピンを嵌め入れる。
【００５４】
次に、絞り基板２に絞り羽根４を取り付ける。その際、絞り基板２の突起部１１ａ，１１ｂ，１１ｃを、それぞれ絞り羽根４の案内溝１９ａ，１９ｂ，１９ｃに嵌め入れる。また、絞り駆動部７の他方の駆動ピン３４ａを絞り羽根４の係合孔２０に嵌め入れる。
【００５５】
次に、絞り基板２に羽根カバー６を取り付ける。その際、絞り基板２の支持軸３５を羽根カバー６のアーム部３２の長孔３３に嵌め入れる。絞り基板２に対する羽根カバー６の固定は、たとえば、嵌合等で行う。
【００５６】
このように絞り基板２に羽根カバー６を取り付けるときに、両者の位置的な干渉は次のように回避される。まず、絞り羽根３の係合孔１７を通して突出する絞り駆動部７の一方の駆動ピン３４ｂと羽根カバー６との位置的な干渉は、逃げ溝部３１ｂによって回避される。同様に、絞り羽根４の係合孔２０を通して突出する絞り駆動部７の他方の駆動ピン３４ａと羽根カバー６との位置的な干渉は、逃げ溝部３１ａによって回避される。また、絞り基板２の突起部１１ａ，１１ｃと羽根カバー６との位置的な干渉は、一対の孔部３６ａ，３６ｂによって回避され、絞り基板２の突起部１１ｂ，１１ｄと羽根カバー６との位置的な干渉は、一対の切り欠き部３７ａ，３７ｂによって回避される。
【００５７】
このように絞り装置１を組み立てた場合は、一対の絞り羽根３，４が絞り基板２上で４つの突起部１１ａ，１１ｂ，１１ｃ，１１ｄにより移動（スライド）自在に支持される。また、フィルタユニット２４は、支持軸３５を中心として回転する方向に移動自在に支持される。また、絞り基板２の開口部１０と羽根カバー６の開口部３０とが、絞り基板２の厚み方向で対向する状態（重なり合う状態）に配置され、さらにその対向部分に絞り羽根３の孔部１５と絞り羽根４の湾部１８とが重なり合う状態に配置される。
【００５８】
絞り羽根３の孔部１５を規定する略円形状の直径と、絞り羽根４の湾部１８を規定する半円部分の直径とは、ほぼ同一寸法になっている。そして、２枚の絞り羽根３，４を互いに重ね合わせた状態では、絞り羽根３の孔部１５と絞り羽根４の湾部１８とが重なり合う部分に絞り開口が形成されるようになっている。したがって、一対の絞り羽根３，４によって形成される絞り開口は、絞り基板２の開口部１０と羽根カバー６の開口部３０とが対向する領域内で、拡大または縮小することになる。ただし、絞り羽根３，４の位置によっては、絞り開口が完全に閉じられる場合もある。
【００５９】
（フィルタ基板の詳説）
ここで、前述したフィルタ基板５の構成について、さらに詳しく説明する。
【００６０】
図３はフィルタユニットを拡大した平面図である。また、図４はフィルタ基板の断面図である。なお、図３に示す円形の破線は、フレーム部材に形成された開口を示している。
【００６１】
フィルタ基板５は、たとえば、ガラス基板４０をベースに構成されている。ガラス基板４０には、一例として、紫外線（ＵＶ）カットガラスが用いられている。フィルタ基板５の一方の主面には、赤外線カットフィルタ層４１とＮＤ(Neutral  Density)フィルタ層４２が形成されている。赤外線カットフィルタ層４１は、赤外領域（近赤外領域を含む）の光をカットするフィルタ層である。赤外線カットフィルタ層４１は、ガラス基板４０の一方の主面上に、当該主面の全面を覆うように、当該主面の全領域にわたって形成されている。また、赤外線カットフィルタ層４１は、一様な厚みでガラス基板４０上に形成されている。このようにガラス基板４０に赤外線カットフィルタ層４１を形成することにより、当該赤外線カットフィルタ層４１が形成された領域は、赤外線領域の光を遮断する領域となる。また、ガラス基板４０は、紫外線カットガラスで形成されているため、その全領域が紫外線領域の光を遮断する領域となる。したがって、ガラス基板４０の赤外線カットフィルタ層４１が形成された領域は、赤外線領域および紫外線領域の光を除去した状態で可視光を通過させる領域、すなわち可視光通過領域に該当するものとなる。ただし、可視光通過領域は、厳密に可視光のみを通過させる領域でなくてもよい。具体的には、可視光通過領域を通過する光の中には、可視光の他に、紫外線領域に属する一部の光や、赤外線領域に属する一部の光が含まれていてもよい。
【００６２】
これに対して、ＮＤフィルタ層４２は、当該ＮＤフィルタ層４２に入射する光を減衰させるフィルタ層である。また、ＮＤフィルタ層４２は、赤外線カットフィルタ層４１が形成されている領域（以下、「可視光通過領域」とも記す）に比較して、波長依存性の低いフィルタ層である。したがって、ＮＤフィルタ層４２が形成された領域は、絞り開口を通過する光のうち、少なくとも可視光通過領域を通過し得る光を減衰させる領域、すなわち光減衰領域に該当するものとなる。たとえば、可視光通過領域を通過し得る光が可視光のみであれば、この可視光を減衰させる領域が光減衰領域となる。その場合、ＮＤフィルタ層４２における可視光の透過率は、カメラに組み込む撮像素子の特性にもよるが、たとえば６％程度とするのが好ましい。ただし、ＮＤフィルタ層４２は、紫外線領域、可視光領域および赤外線領域の各領域の光をほぼ均一な透過率をもって減衰する特性を有する。このため、ＮＤフィルタ層４２で減衰可能な光は、可視光に限定されるものではない。
【００６３】
フィルタ基板５の主面内において、可視光通過領域と光減衰領域の相対的な面積比としては、絞り開口を全開状態としたときに有効に機能する可視光通過領域の面積を１００％とした場合に、これに対する光減衰領域の面積の比率が４〜３３％となるように設定することが望ましい。このように光減衰領域の面積比を広範に規定する理由は、絞り開口が全開状態のときの可視光通過領域の面積に対して、適切とされる光減衰領域の面積比が当該全開時の絞り開口径によって変わるためである。具体的には、全開時の絞り開口径が大きくなるにつれて、適切とされる光減衰領域の面積比が小さくなり、これと反対に、全開時の絞り開口径が小さくなるにつれて、適切とされる光減衰領域の面積比が大きくなる。
【００６４】
ＮＤフィルタ層４２は、ガラス基板４０の一方の主面側に、赤外線カットフィルタ層４１の上に積層する状態で形成されている。また、ＮＤフィルタ層４２は、一様な厚みで赤外線カットフィルタ層４１上に形成されている。ＮＤフィルタ層４２は、フィルタ基板５を平面的に見たときに、赤外線カットフィルタ層４１が形成されている領域に対して、その中央部に円形に形成されている。つまり、フィルタ基板５は、目玉型のフィルタ構造になっている。具体的には、赤外線カットフィルタ層４１が形成されている領域を白目の部分とし、それよりも内側のＮＤフィルタ層４２が形成されている領域を黒目の部分とした目玉型の構造になっている。
【００６５】
ＮＤフィルタ層４２は、図から明らかなように、赤外線カットフィルタ層４１が形成されている領域よりも小さい領域をもってフィルタ基板５の中心部に形成されている。また、前述したように赤外線カットフィルタ層４１が形成されている領域は可視光通過領域に該当する。このため、ＮＤフィルタ層４２は可視光通過領域内に形成されている。
【００６６】
ＮＤフィルタ層４２の外形寸法（図例の場合は直径）は、図５に示すように、一対の絞り羽根３，４が形成する絞り開口４３が小絞りの状態になったときの開口寸法に対応して設定されている。本明細書において、小絞りの状態とは、絞り開口４３を全開させたときの開口面積に対して、実際の絞り開口４３の開口面積が１／３以下の状態をいう。小絞りの状態においては、絞り羽根３の孔部１５の一部にＶ字形に形成された切り欠き部分と、絞り羽根４の湾部１８の一部にＶ字形に形成された切り欠き部分とによって、絞り開口４３の開口形状が四角形（菱形）になる。
【００６７】
ガラス基板４０に赤外線カットフィルタ層４１やＮＤフィルタ層４２を形成する場合の具体的な製造手法に関しては、たとえば、真空蒸着法、スパッタ法、塗布法などの周知の成膜方法を採用すればよい。また、ガラス基板４０に赤外線カットフィルタ層４１を形成した後に、ＮＤフィルタ層４２を形成する場合は、ＮＤフィルタ層４２の形成領域を制限する必要がある。その場合は、赤外線カットフィルタ層４１を形成済みのガラス基板４０に対して、ＮＤフィルタ層４２を形成したい部分だけを開口するようにマスク処理した状態で、ＮＤフィルタ層４２を形成すればよい。
【００６８】
また、前述したようにフィルタ基板５を入射光の光路上に進出させて使用状態とした場合は、一対の絞り羽根３，４が形成する絞り開口の中心に対して、フィルタ基板５の中心が位置合わせされる。このため、フィルタ基板５の使用状態においては、ＮＤフィルタ層４２が形成された領域（光減衰領域）が絞り開口と同心状に配置される。したがって、絞り開口を小絞りの状態にすると、絞り開口の開口面積に占めるＮＤフィルタ層４２の面接比率が非常に高くなる。特に、明るい環境（晴天下の屋外など）で撮影する場合は、絞り開口が小さく絞られるため、絞り開口の全領域を塞ぐようにＮＤフィルタ層４２が配置される。
【００６９】
＜３．絞り装置の動作＞
続いて、本発明の実施の形態に係る絞り装置１の動作について説明する。
【００７０】
[３−１．絞り開口の調整に係る動作]
まず、絞り装置１の基本的な動作原理について説明する。
一対の絞り羽根３，４によって形成される絞り開口を調整する場合は、絞り駆動部７を駆動する。そうすると、絞り駆動部７の駆動力を受けて一対の絞り羽根３，４が相対的に接近離間する方向に移動する。
【００７１】
上述のように一対の絞り羽根３，４を相対的に移動させた場合は、それらの移動方向および移動量に応じて絞り開口４３の大きさが変化することになる。具体的には、一対の絞り羽根３，４が互いに接近する方向（図５の実線の矢印方向）に移動すると、これにしたがって絞り開口４３が大きくなり、一対の絞り羽根３，４が互いに離間する方向（図５の破線の矢印方向）に移動すると、これにしたがって絞り開口４３が小さくなる。また、一対の絞り羽根３，４を最も接近させた状態では絞り開口４３が最大（全開状態）となり、一対の絞り羽根３，４を最も離間させた状態では絞り開口４３が最小（完全に閉じた状態またはそれに近い状態）となる。
【００７２】
図６は絞り開口を開放（全開）した状態を示す図である。モノクロ撮影モードで撮影する場合は、フィルタ基板５が絞り開口４３から退避した状態となる。図７は絞り開口４３を小絞りとした状態を示す図である。絞り開口４３を小絞りとした場合は、上記図５にも示すように、一対の絞り羽根３，４の孔部１５と湾部１８の重なる部分に絞り開口４３が略菱形に形成される。そして、この絞り開口４３をすべて塞ぐ（覆う）状態でＮＤフィルタ層４２が配置される。ただし、絞り開口４３にＮＤフィルタ層４２が配置されるのは、入射光の光路上にフィルタ基板５を進出させた場合だけである。
【００７３】
[３−２．撮影モードの切り替えに係る動作]
撮影モードの切り替えの形態としては、カラー撮影モードからモノクロ撮影モードに切り替える場合と、モノクロ撮影モードからカラー撮影モードに切り替える場合とがある。ただし、いずれの場合も、撮影モードの切り替えに際して、フィルタ駆動部８を駆動することになる。以下、場合分けして説明する。
【００７４】
まず、撮影モードをカラー撮影モードからモノクロ撮影モードに切り替える場合は、フィルタ駆動部８の駆動に伴う駆動力を受けて、フィルタユニット２４が支持軸３５を中心に回転するように移動する。これにより、絞り開口４３を通して入射する光の光路から外れる位置へとフィルタ基板５が退避する。このため、モノクロ撮影モードで撮影する場合は、絞り開口４３を通して入射する光が、フィルタ基板５を介することなく撮像素子（不図示）に到達することになる。したがって、赤外線カットフィルタ層４１による光量の低下はもとより、ＮＤフィルタ層４２による光量の低下も発生しない。このため、少ない光量で必要な解像度が求められる夜間等の撮影に適したものとなる。
【００７５】
これに対して、撮影モードをモノクロ撮影モードからカラー撮影モードに切り替える場合は、上記の場合とは動作方向を反転するかたちでフィルタ駆動部８を駆動する。そうすると、フィルタ駆動部８の駆動力を受けてフィルタユニット２４が支持軸３５を中心に回転するように移動する。これにより、絞り開口４３を通して入射する光の光路上に介在する位置へとフィルタ基板５が進出する。このため、カラー撮影モードで撮影する場合は、絞り開口４３を通して入射する光が、フィルタ基板５を介して撮像素子（不図示）に到達することになる。
【００７６】
ここで、カラー撮影モードは、昼間等の明るい環境で適用される。また、そのような撮影環境では、前述したように撮像素子の画素の信号が飽和しないよう絞り開口４３を小さく絞った小絞りの状態で、絞り装置１による光量調整が行われる。このため、絞り開口４３の全部または大半の部分が、赤外線カットフィルタ層４１およびＮＤフィルタ層４２からなる２層のフィルタ機能層で塞がれた状態となる。したがって、従来のように一対の絞り羽根にそれぞれＮＤフィルタを取り付けた構造を採用しなくても、赤外線カットフィルタ層４１およびＮＤフィルタ層４２によるフィルタ機能が共に働くことになる。このため、撮影環境が明るい昼間等の撮影に適したものとなる。
【００７７】
また、昼間等の時間帯であっても、たとえば、天候が悪い場合、あるいはカメラの設置場所などの関係で、薄暗い環境で撮影することも考えられる。そうした場合は、必要な光量を確保するために、フィルタ基板５を進出させたまま、絞り開口４３を小絞りの状態よりも大きく開口させることになる。したがって、絞り開口４３は、ＮＤフィルタ層４２の形成領域よりも大きく開口することになる。これに対して、赤外線カットフィルタ層４１は、フィルタ基板５の片側全面に形成されているため、たとえ絞り開口４３を全開状態まで開放しても、常に赤外線カットフィルタ層４１が絞り開口４３を塞ぐように配置される。このため、カラー撮影モードで撮影する場合に、光量確保等のために絞り開口４３を大きくしても、赤外光の入射に起因した画像の色ズレが発生するおそれはない。
【００７８】
＜４．実施の形態に係る効果＞
本発明の実施の形態に係る絞り装置とこれを備えるカメラにおいては、前述したように少ない光量で必要な解像度が求められる夜間等の撮影に適したものとなる他に、部品点数の削減とシェーディング等の特性向上を同時に図ることができる。以下に、その理由を述べる。
【００７９】
まず、絞り装置１の構成として、フィルタ基板５に赤外線カットフィルタ層４１とＮＤフィルタ層４２を形成している。このため、従来のようのＮＤフィルタを独立した部品として絞り羽根に取り付ける場合に比較して、部品点数を削減することができる。
【００８０】
また、絞り装置１の構成として、絞り開口４３を通して入射する光の光路上にフィルタ基板５を進出させたときに、ＮＤフィルタ層４２が絞り開口４３と同心状に配置される構成となっている。このため、絞り開口４３を小絞りにして撮影する場合に、ＮＤフィルタ層４２が有効に機能するだけでなく、絞り開口４３全体がＮＤフィルタ層４２で塞がれた状態となる。したがって、小絞りの状態であっても、画像全体が均一の明るさになる。このため、シェーディング等の特性が向上する。
【００８１】
さらに、絞り開口４３を小絞りの状態よりも大きく開口させた場合でも、シェーディング等の特性向上が図られる。すなわち、絞り開口４３を小絞りの状態よりも大きく開口させる動作状態は、たとえば昼間の薄暗い環境などで適用される。そのため、昼間の明るい環境と比較すると、カメラに入射する光の量がかなり少なくなる。したがって、かりにＮＤフィルタ層４２の形成領域よりも大きく絞り開口４３を開放させたとしても、昼間の明るい環境と比較すれば、ＮＤフィルタ層４２の存在に起因する明暗の差は格段に小さいものとなる。また、一対の絞り羽根３，４の相対移動によって絞り開口４３の大きさが変わっても、ＮＤフィルタ層４２の位置は変わらないため、明るさの中心位置が偏ることがない。このため、従来の絞り装置のように一対の絞り羽根にそれぞれＮＤフィルタを取り付けた構成に比較して、シェーディング等の特性が向上する。
【００８２】
さらに、従来の絞り装置の場合は、絞り開口を小絞りの状態から徐々に開放していくときに、絞り開口を通過する光が、２枚のＮＤフィルタの重なり部分を通過する光と、いずれか一方のＮＤフィルタを通過する光と、ＮＤフィルタの部分を通過しない光の３つに分かれる。これに対して、本実施の形態の絞り装置の場合は、絞り開口４３を通過する光が、ＮＤフィルタ層４２の部分（絞り開口４３の中央部分）を通過する光と、それ以外の部分（絞り開口４３の周縁部分）を通過する光の２つに限定される。このため、明暗の異なる分布のバラツキが抑えられる。したがって、シェーディング等の特性向上の効果がより顕著なものとなる。
【００８３】
また、上述した部品点数の削減に付随して、次のような効果も得られる。すなわち、絞り装置１を製造する場合に、絞り羽根にＮＤフィルタを取り付ける工程が不要になる。また、絞り羽根にＮＤフィルタを接着剤で貼り付ける場合は、ＮＤフィルタの厚み（たとえば、約０．１ｍｍ）に接着剤の厚みを加味して、一対の絞り羽根が相対的に移動する隙間を設定する必要がある。これに対して、ＮＤフィルタ層４２をフィルタ基板５に形成した場合は、その厚みが数μｍ〜十数μｍ程度で済む。このため、絞り装置１の薄型化を図ることができる。さらに、絞り装置の動作上、絞り羽根は頻繁に移動を繰り返すため、ＮＤフィルタを接着等で絞り羽根に貼り付けたものでは、絞り羽根の移動に伴う振動等に起因してＮＤフィルタが外れるおそれがある。これに対して、フィルタ基板５にＮＤフィルタ層４２を形成したものでは、そのような不具合が発生することはない。したがって、長期にわたって動作の信頼性に優れた絞り装置を実現することができる。
【００８４】
また、フィルタ基板５の構成として、ＮＤフィルタ層４２からなる光減衰領域を円形に形成している。このため、絞り開口４３が小絞りになったときの開口形状が、たとえば、多角形や楕円形であっても、これに外接する円の直径以下の円形をもって光減衰領域を形成しておけば、当該開口形状の違いにかかわらず、シェーディング等の特性を向上させることができる。このため、汎用性に優れたものとなる。
【００８５】
また、特に好ましい例として、絞り開口４３の開口形状と相似した形状で光減衰領域を形成する構成を採用してもよい。たとえば、一対の絞り羽根３，４を重ね合わせたときに、孔部１５と湾部１８によって形成される絞り開口４３の形状が、それぞれのＶ字形の切り欠き部分の存在により四角形（菱形）になる場合は、その相似形に光減衰領域を形成しておく。
【００８６】
かかる構成を採用した場合は、絞り開口４３を小絞りとしてカラー撮影する場合に、絞り開口４３の開口寸法がＮＤフィルタ層４２の形成領域の外形寸法に一致するまで、絞り開口４３をＮＤフィルタ層４２で塞いだ状態が維持される。このため、ＮＤフィルタ層４２の形成領域を無駄なく最大限に活用することができる。また、これに付随して、ＮＤフィルタ層４２の形成領域を最小限にとどめることができる。このため、カラー撮影モードで絞り開口４３を開放した場合の光量の低下を極力抑えることができる。
【００８７】
また、絞り開口４３を小絞りの状態よりも大きく開放した場合には、ＮＤフィルタ層４２が形成されていない領域（以下、「非形成領域」と記す）が絞り開口４３の外縁部分の全周にわたって均一に存在する。このため、絞り開口４３の開口領域において、その中央部に位置するＮＤフィルタ層４２の形成領域では相対的に画像が暗くなり、ＮＤフィルタ層４２の非形成領域では相対的に画像が明るくなる。これに対して、撮影用のレンズは、一般に中央部が明るく、周縁部にいくほど暗くなる。このため、それらの相殺によって画像の明るさを均一化することができる。
【００８８】
また、フィルタ基板５の構成上、ガラス基板４０の共通の主面に、赤外線カットフィルタ層４１とＮＤフィルタ層４２とを積層状態で形成している。このため、フィルタ基板５を製造する場合に、ガラス基板４０を表裏反転させることなく、赤外線カットフィルタ層４１とＮＤフィルタ層４２とを順に形成（成膜）することができる。
【００８９】
＜５．変形例＞
本発明の技術的範囲は上述した実施の形態に限定されるものではなく、発明の構成要件やその組み合わせによって得られる特定の効果を導き出せる範囲において、種々の変更や改良を加えた形態も含む。
【００９０】
たとえば、ＮＤフィルタ層４２については、ガラス基板４０の一方の主面ではなく、赤外線カットフィルタ層４１が形成されている主面とは反対側の主面に形成してもよい。また、赤外線カットフィルタ層４１およびＮＤフィルタ層４２については、それぞれガラス基板４０の両方の主面に形成してもよい。さらに、ＮＤフィルタ層４２からなる光減衰領域の平面的な形状としては、前述した円形等の形状に限らず、たとえば、多角形に属する三角形、四角形、五角形、六角形、（以下、省略）であってもよいし、それ以外の形状、たとえば、星形、花びら型、十字形、雲形、半月形であってもよい。
【００９１】
また、ガラス基板４０に赤外線カットフィルタ層４１とＮＤフィルタ層４２を積層する場合の積層順を、上記実施の形態とは逆の順序、すなわちＮＤフィルタ層４２の上にこれを覆う状態で赤外線カットフィルタ層４１を形成したものでもよい。
【００９２】
また、赤外線カットフィルタ層４１とＮＤフィルタ層４２をそれぞれ別々のガラス基板に形成し、これらのガラス基板をたとえば接着等によって一体化した構成のフィルタ基板を採用してもよい。
【００９３】
また、撮影モードの切り替えのために行うフィルタ基板５の動作を、上記実施の形態のように支持軸３５を中心とした回転動作ではなく、たとえば、直線的なスライド式の移動動作によって行う構成であってもよい。かかる構成を採用する場合は、たとえば、長方形の基板の主面領域を、当該基板の長手方向で２つの領域に区分し、一方の領域だけに赤外線カットフィルタ層を形成し、かつその中央部にＮＤフィルタ層を形成した構成とすればよい。
【００９４】
また、赤外線カット機能を有するフィルタ基板５の構成としては、上記実施の形態のようにガラス基板４０に赤外線カットフィルタ層４１を形成した構成だけに限らず、たとえば、ガラス基板４０自体が赤外線を遮断する機能を有するもの、つまり赤外線カットガラスからなるガラス基板４０を採用した構成であってよい。
【００９５】
また、紫外線カット機能を有するフィルタ基板５の構成としては、上記実施の形態のようにガラス基板４０を紫外線カットガラスで構成したものに限らず、紫外線カットフィルタ層をガラス基板の主面に形成した構成であってもよい。
【００９６】
また、ＮＤフィルタ層４２を薄いフィルム基材に形成し、このフィルム基材をガラス基板４０に貼り付けた構成を採用してもよい。
【００９７】
また、本発明に係る絞り装置の構成上、「可視光通過領域」に関して、当該可視光通過領域は、可視光を通過させる領域、より詳しくは所定の波長域の光を取り除いた状態で可視光を通過させる領域、さらに詳しくは可視光下でのカメラの撮影に不要な光を取り除いた状態で可視光を通過させる領域である。この場合のカメラの撮影に不要な光とは、「可視光よりも波長が長い光」および「可視光よりも波長が短い光」のうち、少なくとも一方の光をいう。より具体的には、赤外光（近赤外光を含む）および紫外光（近紫外光を含む）のうち、少なくとも一方の光が「カメラの撮影に不要な光」に該当するものとなる。
【００９８】
したがって、フィルタ基板５が有する「可視光通過領域」は、赤外線カットフィルタおよび紫外線カットフィルタの両方のフィルタ機能を有する場合の他に、赤外線カットフィルタのみの機能を有する場合、または紫外線カットフィルタのみの機能を有する場合もあり得る。ただし、画像の色ズレを防止するうえでは、赤外線カットフィルタおよび紫外線カットフィルタの両方のフィルタ機能を有する領域であることが望ましい。また、可視光通過領域については、必ずしもガラス基板４０の主面上の全領域を可視光通過領域とする必要はなく、光減衰領域よりも大きい領域となるように可視光通過領域が確保されていればよい。
【００９９】
また、本発明は、絞り装置やこれを用いたカメラに限らず、そのカメラを備える電子機器（たとえば、セキュリティ機器など）にも適用可能である。かかる電子機器は、本発明の実施の形態に係るカメラと、当該カメラから出力される画像信号を処理する画像処理部とを備える構成となる。
【符号の説明】
【０１００】
１…絞り装置
２…絞り基板
３…絞り羽根
４…絞り羽根
５…フィルタ基板
６…羽根カバー
７…絞り駆動部
８…フィルタ駆動部
４０…ガラス基板
４１…赤外線カットフィルタ層
４２…ＮＤフィルタ層
１００…カメラ
【図１】
2012018047.tif 000003
【図２】
2012018047.tif 000004
【図３】
2012018047.tif 000005
【図４】
2012018047.tif 000006
【図５】
2012018047.tif 000007
【図６】
2012018047.tif 000008
【図７】
2012018047.tif 000009
【図８】
2012018047.tif 000010
【図９】
2012018047.tif 000011
【図１０】
2012018047.tif 000012
【図１１】
2012018047.tif 000013
【図１２】
2012018047.tif 000014
【図１３】
2012018047.tif 000015
【図１４】
2012018047.tif 000016
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
互いに重なり合った状態で絞り開口を形成する一対の絞り羽根と、
可視光通過領域を有するフィルタ基板と、
前記絞り開口の大きさを調整するために前記一対の絞り羽根を相対的に移動させる絞り駆動部と、
前記絞り開口を通して入射する光の光路に対して前記フィルタ基板を進退移動させるフィルタ駆動部と、
を備え、
前記可視光通過領域は、赤外線カットフィルタ層を用いて構成され、
前記フィルタ基板は、前記絞り開口を通過する光のうち、少なくとも前記可視光通過領域を通過し得る光を減衰させる光減衰領域をさらに有し、
前記光減衰領域は、前記可視光通過領域よりも小さい領域をもって当該可視光通過領域内に当該可視光通過領域と重なり合うように形成され、前記光路上に前記フィルタ基板を進出させたときに前記絞り開口と同心状に配置されるものである
ことを特徴とする絞り装置。
【請求項２】
前記一対の絞り羽根が形成する前記絞り開口の開口形状は、当該絞り開口を小絞りの状態としたときに多角形又は楕円形となり、
前記光減衰領域は、前記多角形又は楕円形に外接する円の直径以下の円形に形成されている
ことを特徴とする請求項１に記載の絞り装置。
【請求項３】
前記一対の絞り羽根が形成する前記絞り開口の開口形状は、当該絞り開口を小絞りの状態としたときに四角形となり、
前記光減衰領域は、前記小絞りの状態としたときの前記絞り開口の開口形状と相似形に形成されている
ことを特徴とする請求項１に記載の絞り装置。
【請求項４】
前記可視光通過領域は、前記フィルタ基板の少なくとも一方の主面に形成された赤外線カットフィルタ層からなり、
前記光減衰領域は、前記フィルタ基板の一方の主面または他方の主面あるいは両方の主面に形成されたＮＤフィルタ層からなる
ことを特徴とする請求項１、２または３に記載の絞り装置。
【請求項５】
前記赤外線カットフィルタ層および前記ＮＤフィルタ層は、前記フィルタ基板の共通の主面上に積層状態で形成されている
ことを特徴とする請求項４に記載の絞り装置。
【請求項６】
請求項１〜５のいずれか一つに記載の絞り装置と、
前記絞り開口を通して入射する光を電気信号に変換する光電変換素子と、
を備えることを特徴とするカメラ。
【請求項７】
請求項６に記載のカメラと、
前記カメラから出力される画像信号を処理する画像処理部と、
を備えることを特徴とする電子機器。
【手続補正２】
【補正対象書類名】明細書
【補正対象項目名】００２４
【補正方法】変更
【補正の内容】
【００２４】
本発明の第１の態様は、
互いに重なり合った状態で絞り開口を形成する一対の絞り羽根と、
可視光通過領域を有するフィルタ基板と、
前記絞り開口の大きさを調整するために前記一対の絞り羽根を相対的に移動させる絞り駆動部と、
前記絞り開口を通して入射する光の光路に対して前記フィルタ基板を進退移動させるフィルタ駆動部と、
を備え、
前記可視光通過領域は、赤外線カットフィルタ層を用いて構成され、
前記フィルタ基板は、前記絞り開口を通過する光のうち、少なくとも前記可視光通過領域を通過し得る光を減衰させる光減衰領域をさらに有し、
前記光減衰領域は、前記可視光通過領域よりも小さい領域をもって当該可視光通過領域内に当該可視光通過領域と重なり合うように形成され、前記光路上に前記フィルタ基板を進出させたときに前記絞り開口と同心状に配置されるものである
ことを特徴とする絞り装置である。
【手続補正３】
【補正対象書類名】明細書
【補正対象項目名】００２５
【補正方法】変更
【補正の内容】
【００２５】
本発明の第２の態様は、
前記一対の絞り羽根が形成する前記絞り開口の開口形状は、当該絞り開口を小絞りの状態としたときに多角形又は楕円形となり、
前記光減衰領域は、前記多角形又は楕円形に外接する円の直径以下の円形に形成されている
ことを特徴とする上記第１の態様に記載の絞り装置である。
【手続補正４】
【補正対象書類名】明細書
【補正対象項目名】００２６
【補正方法】変更
【補正の内容】
【００２６】
本発明の第３の態様は、
前記一対の絞り羽根が形成する前記絞り開口の開口形状は、当該絞り開口を小絞りの状態としたときに四角形となり、
前記光減衰領域は、前記小絞りの状態としたときの前記絞り開口の開口形状と相似形に形成されている
ことを特徴とする上記第１の態様に記載の絞り装置である。
【国際調査報告】
2012018047.tif 000017
2012018047.tif 000018
2012018047.tif 000019
2012018047.tif 000020